(57)【要約】    【課題】  携帯電話機等の携帯情報端末において、高機能化、小型化のため、アンテナエレメントの接地可能領域が狭くなった場合でも対処することが可能な携帯情報端末を提供する。    【解決手段】  携帯電話機の上蓋１２を構成する筐体１２３の内部にアンテナ１２５を配設する場合において、板状アンテナエレメント１２５１の端部に一つの接片１２５２を設けておき、基板１２６を筐体１２３に装着した際に、ＲＦ回路１２６４と電気的に接続されたピン１２６１が前記接片１２５２と電気的に接続されるようにした場合において、ピン１２６１と基板１２６上に形成された接地板部との間に、櫛形形状の導電性パターンを形成し、当該パターンの一部を削取することによりアンテナインピーダンスを調整する。【選択図】          図２
2007049644.tif 000002
【特許請求の範囲】
【請求項１】
板状アンテナエレメントの端部と、接地板部が形成された絶縁性基板上に設けられた接続部とが電気的に接続されるように構成された携帯無線通信端末において、
前記接続部は、前記絶縁性基板上において前記アンテナエレメントへ給電するＲＦ回路及び前記接地板部と電気的に接続され、
前記絶縁性基板上の、前記接続部と前記接地板部との間に、アンテナインピーダンスを調整する調整部が設けられた
ことを特徴とする携帯無線通信端末。
【請求項２】
前記調整部は、
前記絶縁性基板上に形成され、一部削取することが可能な導電性パターンであり、当該導電性パターンの一部が削取されることによりアンテナインピーダンスが調整される
ことを特徴とする請求項１に記載の携帯無線通信端末。
【請求項３】
前記導電性パターンは、前記接地板部の異なる部分と接続するように形成された複数のラインパターンを含んでいる
ことを特徴とする請求項２に記載の携帯無線通信端末。
【請求項４】
前記導電性パターンは、一部削取される前に、各々の先端が前記接地板部と電気的に接続され、各々の他端が、一端が前記接続部と電気的に接続された一本の線状ラインパターンへ連なる櫛形形状となるように形成される
ことを特徴とする請求項３に記載の携帯無線通信端末。
【請求項５】
前記接続部は、
前記ＲＦ回路と電気的に接続された給電ピンであり、当該給電ピンが前記アンテナエレメントの端部に設けられた接片と接触することにより電気的に接続される
ことを特徴とする請求項１から４のいずれかに記載の携帯無線通信端末。
【請求項６】
筐体内に板状アンテナエレメントが配され、当該アンテナエレメントの端部に設けられた接片が、接地板部が形成された絶縁性基板上に突設したピンと接することにより、両者が電気的に接続されるように構成された携帯無線通信端末において、
前記ピンは前記アンテナエレメントへの給電ピンであるとともに、
当該ピンと前記接地板部との間を電気的に接続するように前記絶縁性基板上に形成された導電性パターンの一部が削取されることによりアンテナインピーダンスが調整されたことを特徴とする携帯無線通信端末。
【発明の詳細な説明】
【技術分野】
【０００１】
本発明は、携帯電話機等の携帯無線通信端末に関し、特に、携帯無線通信端末の筐体内に配される板状アンテナの設置技術に関する。
【背景技術】
【０００２】
携帯電話機、携帯情報端末等の携帯無線通信端末に設置されるアンテナとして、アンテナエレメントに金属板を用いた板状アンテナ、特に板状逆Ｆアンテナが知られている。携帯電話機等の携帯端末に搭載される従来の板状逆Ｆアンテナの一例が特許文献１に開示されている。係る従来例においては、成形樹脂による箱型基体部上面に固定された金属薄板からなるアンテナ素子の端部に給電端子とグランド端子とが設けられ、給電端子とグランド端子は、機器筐体内の配線基板上に設けられた給電ライン及びグランドラインにそれぞれ電気的に接続されるように構成される。
【０００３】
【特許文献１】特開２００４−２１５１４９号公報（図６及び図７）
【発明の開示】
【発明が解決しようとする課題】
【０００４】
最近の携帯電話機等の携帯無線通信端末においては高機能化の要求が高く、係る高機能化のために搭載される部品にはアンテナを介する外部との電波の送受信に影響を与えるものもある（例えば利用者識別用のＩＣカードを挿着する部分など）。一方では端末の小型化、薄型化の要求もあり、前記した部品の影響を受けないような位置に板状のアンテナエレメントを配置しようとすると、端末内におけるアンテナの設置可能領域の面積が狭くなるという問題がある。
【０００５】
板状アンテナであっても、特性向上のためには、ある程度の長さを確保する必要があり、小型化、高機能化に対応しようとすると、設置可能領域に適切にアンテナエレメントを配置することが困難となる場合が生じ得る。
【０００６】
本発明は係る問題点に鑑みてなされたものであって、高機能化、小型化の要請に対処することが可能なアンテナエレメントの配置を実現する携帯電話機等の携帯無線通信端末を提供することを目的としている。
【課題を解決するための手段】
【０００７】
上記の問題点を解決するために、本発明に係る携帯無線通信端末は、板状アンテナエレメントの端部と、接地板部が形成された絶縁性基板上に設けられた接続部とが電気的に接続されるように構成された携帯無線通信端末において、前記接続部は、前記絶縁性基板上において前記アンテナエレメントへ給電するＲＦ回路及び前記接地板部と電気的に接続され、前記絶縁性基板上の、前記接続部と前記接地板部との間に、アンテナインピーダンスを調整する調整部が設けられたことを特徴としている。
【０００８】
本発明の構成では、絶縁性基板上に設けられた調整部においてアンテナインピーダンスを調整しているため、上記従来の逆Ｆアンテナのように給電端子と接地端子との二つの端子を設ける必要がない。即ち、アンテナエレメントの端部（給電端子と接地端子との間の距離）でインピーダンス調整を行う場合と比較してアンテナエレメントの接地可能領域を特性向上のために有効利用することができ、アンテナエレメントの設置可能領域が狭くなった場合でも、効率的なアンテナエレメントの設置を図ることができる。
【０００９】
アンテナインピーダンスを調整する調整部の好ましい構成の一例として、前記調整部は、前記絶縁性基板上に形成され、一部削取することが可能な導電性パターンであり、当該導電性パターンの一部が削取されることによりアンテナインピーダンスが調整される構成が好ましい。
【００１０】
給電端子と接地端子とを設ける方法では、インピーダンス調整のために、例えば複数の基板を試作する必要が生じる場合があるが、上記の構成では基板上に形成されたパターンを削取することでインピーダンス調整を行うため、作製する基板が一種類でよく、試作が効率的となる。
【００１１】
前記導電性パターンは、前記接地板部の異なる部分と接続するように形成された複数のラインパターンを含んでいる構成とすることができる。より具体的には、例えば、前記導電性パターンは、一部削取される前に、各々の先端が前記接地板部と電気的に接続され、各々の他端が、一端が前記接続部と電気的に接続された一本の線状ラインパターンへ連なる櫛形形状となるように形成される構成とすることができる。この構成では、櫛形形状の歯の部分を削取することでインピーダンス調整を行うことができ、調整を効率的に行うことができる。
【００１２】
前記接続部は、前記ＲＦ回路と電気的に接続された給電ピンであり、当該給電ピンが前記アンテナエレメントの端部に設けられた接片と接触することにより電気的に接続される構成とすることができるが、接続部とアンテナエレメントとの間をケーブルなどで接続する形態も可能である。
【００１３】
本発明に係る携帯無線通信端末は、筐体内に板状アンテナエレメントが配され、当該アンテナエレメントの端部に設けられた接片が、接地板部が形成された絶縁性基板上に突設したピンと接することにより、両者が電気的に接続されるように構成された携帯無線通信端末において、前記ピンは前記アンテナエレメントへの給電ピンであるとともに、当該ピンと前記接地板部との間を電気的に接続するように前記絶縁性基板上に形成された導電性パターンの一部が削取されることによりアンテナインピーダンスが調整されたことを特徴とする。
【発明の効果】
【００１４】
本発明に係る携帯無線通信端末によると、基板側でアンテナインピーダンスの調整を行うことができるため、アンテナ側に給電用接片と接地用接片とを設け、両者の間隔でインピーダンスを調整する場合と比較して、アンテナ側に特性向上に利用できる部分を増加させることができ、端末の小型化、高機能化によりアンテナエレメントの設置可能領域が狭くなっても対処することが可能になるという効果を奏する。
【発明を実施するための最良の形態】
【００１５】
以下、本発明の実施の形態について、本発明の適用対象である携帯無線通信端末の一例としての携帯電話機を例として、図面を参照しながら説明する。
（１）携帯電話機の構成
図１は、本実施の形態における携帯電話機の外観の一例を示す斜視図である。本実施の形態の携帯電話機１０は、携帯電話機本体１１に対して上蓋１２が開閉自在に設けられた折畳式の携帯電話機であって、図１（ａ）に折り畳まれた状態が、同図（ｂ）に上蓋１２が開かれた状態が示されている。上蓋１２は、ヒンジ１３（同図（ｂ）参照）を介して、本体１１に対して開閉自在とされている。
【００１６】
本体１１側には、通話の際に音声が入力されるマイク部１１２の他、携帯電話機１０を操作する各種操作ボタンが設けられている。同図の例では、電話番号等を入力する１から０までの数字及び「＊」及び「＃」を含むダイアルキー１１５、携帯電話機１０に対し電源投入を行う際に押下される電源キー１１５１、一旦入力した数字等をクリアする際に押下されるクリアキー１１５２、着信時、通話を開始する際に押下される通話キー１１５３、液晶ディスプレイ等から成る表示部１２１にメニュー画面が表示された場合等に、選択された処理を確定させる場合等に押下される決定キー１１６、メニュー画面等において処理を選択する場合等に押下される上下左右の矢印キー１１７、各々に機能が割り当てられた機能キー１１８１〜１１８４が設けられている。機能キーには、例えば電話帳の編集メニューを表示したり、受信メールの一覧を表示したりするような機能を割り当てることができる。
【００１７】
一方、上蓋１２の内面には、前記した液晶ディスプレイ等から成る表示部１２１、通話時に音声が出力されるスピーカ部１２２が設けられている。図１の状態では不可視であるが、上蓋１２を構成する筐体の内方に、板状のアンテナエレメントを含むアンテナが配されている。
【００１８】
（２）アンテナ及び基板の設置について
以下、本実施の形態におけるアンテナの設置について説明する。図２は、上蓋１２を構成する筐体１２３内方に、樹脂性の筐体１２３内壁に着設される板状のアンテナエレメント１２５１を含むアンテナ１２５を配し、ＲＦ回路１２６４を搭載した絶縁性基板（以下、単に「基板」という。）１２６を装着する様子について説明するための斜視図である。
【００１９】
アンテナ１２５は、金属箔板（例えばＰＥＴ加工された銅箔、アルミ箔など）で構成されたアンテナエレメント１２５１及び端部に形成された接片１２５２を備える。接片１２５２は、先端に向けて筐体１２３内壁から内方に向けて立設するとともに若干弾性が付与されており、基板１２６が適切に装着された場合には基板上に突設されたピン１２６１により押圧されてピン１２６１と電気的に接続される。
【００２０】
ピン１２６１は、基板１２６の同図裏面側に配されたＲＦ回路１２６４と給電ライン１２６６により電気的に接続されており、ＲＦ回路１２６４からの給電によりアンテナ１２５から電波が放射される。なお、符号１２６５で表される部分は、ＲＦ回路１２６４に設けられた端子と給電ライン１２６６との間の接点であり、符号１２６７で表される部分は、ピン１２６１と給電ライン１２６６との間の接点である。
【００２１】
本実施の形態のアンテナ１２５では、接片１２５２が単一であり、給電用部分と接地用部分とを個別に設けていない。そのため、従来の逆Ｆアンテナのように給電端子と接地端子との間の間隔をアンテナインピーダンスの調整に用いるものと異なり、アンテナ１２５の形状等の調整を効率的にアンテナ自体の特性の向上に利用することができる。
【００２２】
図３は、基板１２６の斜視図である。同図（ａ）及び（ｂ）は、いずれも基板１２６を図２に示された面とは逆側から見たものである。基板１２６の図３に示された側の表面には、ＲＦ回路１２６４が搭載されるとともに接地板部１２６２及び導電性パターン１２６３がそれぞれ形成されている。同図ではＲＦ回路１２６４の端子について、ライン１２６６と接続されるもの以外は図示を省略している。
【００２３】
本実施の形態の導電性パターン１２６３は、例えば、基板作製時、エッチング処理後にパターン部分の銅箔を残すようにすることで、接地板部１２６２と電気的に接続されたパターンとして形成することができ（エッチング後ソルダレジスト加工を行っても良い。）、形成当初には、図３（ａ）に示されるように、各々の先端が接地板部１２６２と電気的に接続され、各々の他端は、一端がピン１２６１と電気的に接続された一本の線状ラインパターンへ連なる櫛形形状となるように形成されている。即ち、導電性パターン１２６３は、接地板部１２６２の異なる部分と接続するように形成された複数のラインパターンを含む構成となっている。
【００２４】
そして、導電性パターン１２６３の一部を削取することによりアンテナインピーダンスの調整を行う。削取は、カッターナイフ等の器具を用いて行うことができる。図３（ｂ）に、導電性パターン１２６３の一部が削取された状態が図示されており、点線部分が削取されたことが示されている。
【００２５】
以上に説明したように、本実施の形態では、導電性パターン１２６３の一部を削取することでアンテナインピーダンスの調整を行うため、給電用及び接地用の二つのピンを設けて両者の間隔でインピーダンス調整を行う場合のように、インピーダンス調整に際し前記両者の間隔の異なる複数種類の基板を試作等する必要がなく、インピーダンス調整を含む端末製造の効率が向上する。
【００２６】
また、本実施の形態では、導電性パターン１２６３の一部を削取することにより、基板１２６側でアンテナインピーダンスの調整を行うことができるため、アンテナ１２５側に給電用接片と接地用接片とを設け、両者の間隔でインピーダンスを調整する場合と比較して、アンテナ１２５側に、特性向上に利用できる範囲を増加させることができ、携帯電話機１０等の端末の小型化、高機能化により筐体１２３内部におけるアンテナエレメント１２５１の設置可能領域が狭くなっても対処することが可能となる。
【００２７】
（変形例）
以上、本発明の実施の形態について説明したが、本発明の内容が上記実施の形態において説明された具体例によって限定されないことは勿論であり、例えば、以下のような変形例を実施することもできる。
【００２８】
（１）上記実施の形態では、アンテナ１２５と基板１２６との間の接続をピン１２６１及び接片１２５２を介して行うようにしたが、両者間は、例えばケーブルで接続するような形態も可能である。
【００２９】
（２）アンテナエレメント１２５１の形状等は、電波の送受信に用いる周波数（上記では説明を省略した。）、その他の条件により最適化されることは勿論であり、図示された形状に限定されないことは言うまでもない。接片１２５２、ピン１２６１、接地板部１２６２、その他の各部の形状等についても同様である。
【００３０】
（３）上記実施の形態では、図３に示したように、導電性パターンの形状を櫛形形状としたが、パターン形状はこれに限定されない。例えば、ピン１２６１と接地板部１２６２との間の長さを変えたり、接地板部１２６２の異なる部分に接続されるように形成する場合、一部削取によりインピーダンス調整を行うことが可能な複数の線状パターンは他にも考えられるし、線状のパターンでなくても良い場合もあり得る。
【００３１】
（４）上記実施の形態では、本願発明のアンテナ設置技術を携帯電話機に適用する場合について説明したが、板状アンテナが設けられる携帯情報端末は携帯電話機に限定されるわけではなく、携帯情報端末等を含む各種携帯無線通信装置に適用することができる。
【産業上の利用可能性】
【００３２】
本発明は、例えば携帯電話機等の携帯無線通信端末に適用することができる。
【図面の簡単な説明】
【００３３】
【図１】本実施の形態における携帯電話機の外観の一例を示す斜視図である。
【図２】上蓋１２を構成する筐体１２３の内部について説明するための斜視図である。
【図３】基板１２６の斜視図である。
【符号の説明】
【００３４】
１０                      携帯電話機
１１                      携帯電話機本体
１２                      上蓋
１２３                    筐体
１２５                    アンテナ
１２５１                  アンテナエレメント
１２５２                  接片
１２６                    絶縁性基板
１２６１                  ピン
１２６２                  接地板部
１２６３                  導電性パターン
１２６４                  ＲＦ回路
【図１】
2007049644.tif 000003
【図２】
2007049644.tif 000004
【図３】
2007049644.tif 000005